(57)【要約】【課題】歯科用歯測定装置にて被写体となる歯を外光の影響を受けないような状態で撮影（測色）でき、かつ、安定した撮影位置に位置させることが可能な歯科用歯測定用コンタクトキャップを提供する。【解決手段】歯科用歯測定装置のカメラにコンタクトキャップ３１を装着して、該コンタクトキャップ３１の開口部をカメラ側撮影窓の前面に位置させた状態で被測定歯の撮影を行い、該被測定歯の測色データが得られる。撮影時には上記被測定歯に隣接する両方の歯でバイト部３１ｅを噛み込むことによって、上記被測定歯をコンタクトキャップ３１の開口部中央に位置させ、撮影を行うことができる。上記隣接する両方の歯でバイト部３１ｅを噛み込む場合、バイト部３１ｅに設けられる柱状突起部３１ｈの隙間に挿入した状態で噛み込むので上記被測定歯の正確に位置決めができる。【選択図】図３１
2006334241.tif 000002
【特許請求の範囲】
【請求項１】
歯科用歯測定装置用コンタクトキャップにおいて、
上記歯測定装置により被測定歯の撮影を行う場合、上記歯測定装置の撮影窓部周辺を覆う状態で装着可能なキャップ部と、
上記キャップ部の前方に配され、装着状態で上記撮影窓部に対向する開口部と、
上記開口部の一辺部に前方に突出し、上記被測定歯に隣接する歯で噛み込み可能な噛み込み部および上記噛み込み部に対する凹面部を有する突起部と、
を具備しており、上記キャップ部は、柔軟性のある弾性変形可能な材料で形成されており、上記開口部の大きさは、上記被測定歯と該被測定歯に隣接する歯の一部とを含む大きさの寸法を有しており、さらに、上記噛み込み部を噛み込んだ状態では、少なくとも上記被測定歯の切縁部は、上記凹面部と離間することを特徴とする歯科用歯測定装置用コンタクトキャップ。
【請求項２】
上記開口部の上部には、上記被測定歯に隣接する歯の上方の歯茎部の近傍が当接可能な凸状の歯茎当接部が設けられており、上記噛み込み状態で少なくとも上記被測定歯の上方の歯茎部とは当接しないことを特徴とする請求項１に記載の歯科用歯測定装置用コンタクトキャップ。
【請求項３】
上記噛み込み部には、上記被測定歯の位置決めを行うために、上記被測定歯に隣接する歯の厚みに対応した隙間を隔てて位置決め突起部が設けられていることを特徴とする請求項１、または、２に記載の歯科用歯測定装置用コンタクトキャップ。
【発明の詳細な説明】
【技術分野】
【０００１】
本発明は、例えば、歯科用歯測定装置における撮影（測定）時に適用される撮影補助具としての歯科用歯測定装置用コンタクトキャップに関する。
【背景技術】
【０００２】
従来、歯科院において患者に義歯（差し歯）、特に門歯用義歯をいれるといった治療を行う場合、患者の該当する門歯に隣り合った生活歯（または、失活歯）の色を何らかの方法で測定、比較してそれに合った色の義歯を選択する必要がある。現状での歯のシェードの測定方法としては、シェードガイドと呼ばれる参照板を患者の歯と比較して、歯科医が目視にて最も近いシェードと判断したシェードガイドの番号を歯のシェードとする。この番号により漂白効果を確認したり、また、歯科技工所へ伝達して義歯（差し歯）の構築がなされている。
【０００３】
しかし、上述したシェードガイドを利用して目視により判断して義歯のシェードを決定する従来の方法では、照明の影響を受けやすく、その部屋の照明の種類や外光の影響により同じ患者の歯でも異なったシェードと判断しやすい。また、判定を行う医師（または歯科技工士）も、その時の健康状態により判定のばらつきも大きく、満足できる義歯の選択が行われることが困難であった。
【０００４】
そのような状況下で照明や判定者の影響を受けずに正確に歯のシェードを取得するために該当する歯を撮影し、その画像情報によってより正確な歯のシェード情報を取得することができる歯科用歯測定装置（撮影装置）が望まれており、該歯科用歯測定装置（撮影装置）に関して特許文献１の歯科用カメラが提案されている。
【特許文献１】特開２００２−３５５２６３号公報である。
【発明の開示】
【発明が解決しようとする課題】
【０００５】
上記歯測定装置により実際撮影を行う場合、歯単体（生活歯）を近接撮影する必要があるが、単に従来の近接撮影状態での撮影を行うとすると、照明の影響は避けられない。そこで、特殊光の照明下での撮影を行う必要が生じる。その場合、外光を遮蔽し、かつ、被写体となる歯をより正確に撮影位置に位置させるためのフードとなる撮影用コンタクトキャップをカメラに装着する必要が不可欠となる。
【０００６】
一方、上記特許文献１で提案された歯科用カメラでは、撮影開口部に装着されるフードとしてマウスピースが使用される。該マウスピースには食い込み突起部と翼部が設けられており、その食い込み突起部と翼部により被測定歯の位置決めがなされる。しかし、上記食い込み突起部と翼部だけでは被測定歯の確実な位置決めが困難であり、また、正しい被測定歯の撮影画像を得るために被測定歯に対する照明状態も必ずしも十分とはいえない。
【０００７】
本発明は、上述の問題を解決するためになされたものであり、歯科用歯測定装置に適用可能であって、被測定歯を安定した撮影位置に位置させ、かつ、外光の影響を受けることなく、しかも、実際の色に近い状態での撮影が可能である歯科用歯測定用コンタクトキャップを提供することを目的とする。
【課題を解決するための手段】
【０００８】
本発明の請求項１記載の歯科用歯測定装置用コンタクトキャップは、歯科用歯測定装置用コンタクトキャップにおいて、上記歯測定装置により被測定歯の撮影を行う場合、上記歯測定装置の撮影窓部周辺を覆う状態で装着可能なキャップ部と、上記キャップ部の前方に配され、装着状態で上記撮影窓部に対向する開口部と、上記開口部の一辺部に前方に突出し、上記被測定歯に隣接する歯で噛み込み可能な噛み込み部および上記噛み込み部に対する凹面部を有する突起部とを具備しており、上記キャップ部は、柔軟性のある弾性変形可能な材料で形成されており、上記開口部の大きさは、上記被測定歯と該被測定歯に隣接する歯の一部とを含む大きさの寸法を有しており、さらに、上記噛み込み部を噛み込んだ状態では、少なくとも上記被測定歯の切縁部は、上記凹面部と離間する。
【０００９】
本発明の請求項２に記載の歯科用歯測定装置用コンタクトキャップは、請求項１に記載の歯科用歯測定装置用コンタクトキャップにおいて、上記開口部の上部には、上記被測定歯に隣接する歯の上方の歯茎部の近傍が当接可能な凸状の歯茎当接部が設けられており、上記噛み込み状態で少なくとも上記被測定歯の上方の歯茎部とは当接しない。
【００１０】
本発明の請求項３に記載の歯科用歯測定装置用コンタクトキャップは、請求項１、または、２に記載の歯科用歯測定装置用コンタクトキャップにおいて、上記噛み込み部には、上記被測定歯の位置決めを行うために、上記被測定歯に隣接する歯の厚みに対応した隙間を隔てて位置決め突起部が設けられている。
【発明の効果】
【００１１】
本発明によれば、歯科用歯測定装置にて被写体となる被測定歯を安定した撮影位置に位置させ、かつ、外光の影響を受けることなく、しかも、実際の色に近い状態での撮影が可能である歯科用歯測定用コンタクトキャップを提供することができる。
【発明を実施するための最良の形態】
【００１２】
以下、図を用いて本発明の実施形態について説明する。  
図１，２は、本発明の各実施形態の歯科用歯測定用コンタクトキャップを適用可能なカメラとクレードルからなる歯科用歯測定（撮影）装置であるＨＭＳＣ装置（Handy Multi-Spectral Camera）の外観を示す斜視図であり、図１は、上記カメラをクレードルに装着したときの遮光カバー開状態、図２は、遮光カバー閉状態を示す。図３，４は、上記クレードルの斜視図であって、図３は、遮光カバー開状態、図４は、遮光カバー閉状態を示す。図５〜７は、上記カメラの外観を示す斜視図であって、図５は、正面側から見た斜視図であり、図６は、背面側から見た斜視図であり、図７は、背面上方から見た斜視図である。
【００１３】
図８〜１４は、上記カメラの外観形状を示す図であって、図８は、正面図であり、図９，１０は、左，右側面図であり、図１１，１２は、平面図と下面図であり、図１３は、背面図であり、図１４は、図９のＡ矢視図である。図１５〜２１は、上記クレードルの外観形状を示す図であって、図１５は、正面図であり、図１６，１７は、左，右側面図であり、図１８，１９は、平面図と下面図であり、図２０は、背面図であり、図２１は、図１６のＢ矢視図である。図２２〜２８は、上記カメラを上記クレードルに装着した状態の外観形状を示す図であって、図２２は、正面図であり、図２３，２４は、左，右側面図であり、図２５，２６は、平面図と下面図であり、図２７は、背面図であり、図２８は、図２３のＣ矢視図である。
【００１４】
図２９〜３３は、後述する各実施形態のうち、第一の実施形態の撮影用コンタクトキャップを上記カメラに装着した状態を示す図であって、図２９は、正面図、図３０，３１は、左，右側面図であり、図３２，３３は、平面図と下面図である。
【００１５】
上記ＨＭＳＣ装置は、図１，２に示すようにクレードル１とクレードル１に着脱可能なカメラ２とからなる。
【００１６】
クレードル１は、カメラ１が装着された状態でカメラ１の内蔵電池への充電と、ＵＳＢを介してカメラ１に取り込まれた撮影画像データのパーソナルコンピュータ（図示せず）への伝送とを行う。また、クレードル１には、カメラ１の撮影画像データキャリブレーション用の参照板４が組み込まれており、カメラ１の装着状態で参照板４の周囲を遮光するための回動可能な遮光カバー３が取り付けられている。
【００１７】
カメラ２は、複数のＬＥＤからなるＬＥＤ照明系１７，フォーカシング可能な撮影光学系１８，カラーＣＣＤを内蔵する撮像部１９（後述する図４１，５１，５５に記載）と、ＬＣＤ表示部（図６）１６と、撮像処理部，画像メモリ部，通信制御部（図示せず）と、コネクタ１４（図６）とをカメラ本体内に内蔵している。カメラ本体の前面部に固着されるトップカバー１２の外周部には、後述する第一の実施形態の歯科用の歯測定装置用コンタクトキャップ３１が図２９〜３３に示すように装着可能であり、また、第二，三の実施形態のコンタクトキャップ３１Ａ，３１Ｂも装着可能である。上記ＬＥＤ照明系１７，撮影光学系１８，撮像部１９は、トップカバー１２前方に配される撮影窓部１２ａ内部後方に撮影光軸Ｏに沿った状態でカメラ本体内に配設される。なお、トップカバー１２の前方には、図５に示すように撮影窓部１２ａの側方に切り欠き１２ｂが設けられている。この切り欠き部１２ｂは、撮影窓部１２ａのよごれを清掃するの都合がよいように設けられている。
【００１８】
上記ＨＭＳＣ装置においては、カメラ２をクレードル１に装着し、充電を行った後、参照板４の画像が取り込まれ、撮影画像データのキャリブレーションが行われる。キャリブレーション後、カメラ２をクレードル１から外して後述する３つの撮影モードの撮影が行われる。撮影時、撮影者は、カメラ２の本体を手でホールドし、ＬＣＤ表示部１６上の被写体像を観察しながらフォーカスリング１３を回動操作してピント合わせを行い、操作スイッチ釦１５を操作して被写体（患者の顔，全顎，単歯）の画像を取り込む。
【００１９】
上記３つの撮影モードは、顔貌撮影モードと、全顎撮影モードと、測定撮影モードとであり、上記顔貌撮影モードでは、外光照明のもとで患者の顔全体をカラーＣＣＤにより撮影し、参照用画像データ（ＲＧＢ撮影画像データ）が取り込まれる。
【００２０】
上記全顎撮影モードでは、やはり外光照明のもとで患者の歯全体をカラーＣＣＤにより撮影し、参照用画像データ（ＲＧＢ撮影画像データ）が取り込まれる。
【００２１】
上記測定撮影モードでは、外光を遮光し、さらに被写体である単歯を撮影開口に安定して位置させるために後述するコンタクトキャップをカメラ２の先端のトップカバー１２（図２９）に装着する。そして、装着されたコンタクトキャップの開口部を通して患者の指定された被測定歯（生活歯）である単歯（２本の歯でもよい）を複数の波長を持つ複数のＬＥＤによる光を照明光としたマルチバンド撮影が行われる。この撮影により単歯のシェードを正確に計測するためのマルチバンド撮影画像データが取り込まれる。
【００２２】
上述した各撮影モードでの撮影が終了すると、カメラ２は、再びクレードル１に装着され、各撮影画像データがＵＳＢを介してパーソナルコンピュータ側に転送される。上記パーソナルコンピュータでは、ＲＧＢ撮影画像データのファイリング処理と、マルチバンド撮影画像データのキャリブレーション補正処理と、マルチバンド撮影画像データの色度演算処理，シェードガイド番号判定処理とが行われ、ＲＧＢ撮影画像データに対応させた状態でシェードガイド、色度データが記憶される。その記憶データは、技工所に送られ、撮影された生活歯に合った見栄えの義歯材料が選択される。
【００２３】
上述した測定撮影モードの撮影時にカメラ２のトップカバー１２に装着されるコンタクトキャップの各実施形態について説明する。  
図３４〜３９は、本発明の第一の実施形態であるコンタクトキャップの外観形状を示す図であって、図３４は、正面図であり、図３５，３６は、左，右側面図であり、図３７，３８は、平面図と下面図であり、図３９は、背面図である。図４０は、図３４のＤ−Ｄ断面図である。図４１は、上記測定撮影モードでの単歯撮影状態を図４０の断面上で示した図であって、上記コンタクトキャップの開口部に上側門歯を当てて撮影している状態を示している。図４２は、上記単歯撮影状態の図４１のＥ矢視図である。図４３は、上記単歯撮影状態の図４１のＦ−Ｆ断面図である。図４４は、上記コンタクトキャップを重ねて嵌め込んで収納した状態を示す断面図である。
【００２４】
上記図４１にはコンタクトキャップが装着されたトップカバー１２およびカメラ本体内に収納される撮影のための構成要素として撮影光軸Ｏに沿って順次配されるＬＥＤ照明系１７，撮影光学系１８，撮像部１９が２点鎖線で示されている。
【００２５】
なお、以下の説明において、カメラ装着状態の光軸Ｏと直交する方向のうち、図示するＹ方向を上下方向とし、Ｙ方向と直交するＸ方向を左右方向とする。また、光軸Ｏ方向の被写体側（被測定歯側）を前方、撮像側を後方として説明する。
【００２６】
この第一の実施形態のコンタクトキャップ３１は、黒色の伸縮自在な合成樹脂ゴム、例えば、スチレン系エラストマなどの素材からなる薄肉キャップ形状を有する部材であって、カメラ２のトップカバー１２の外側前方に被せることが可能である（図４１）。上記素材のゴム硬度は、フィット性、装着性の点から７０°程度の材料を適用する（許容範囲として５０°〜８０°）。なお、このコンタクトキャップ３１は、衛生上、使用後は破棄される、使い捨てタイプである。
【００２７】
コンタクトキャップ３１には、前面部にトップカバー１２を覆うように装着されるキャップ部３１ｐと、該キャップ部前面位置であって、装着状態で撮影光学系１８前方の光軸Ｏ中心位置に配される撮影用窓部となる中央開口部３１ａと、該開口部３１ａの下側部に突出状態で配される突起部としてのバイト部３１ｅと、該開口部３１ａの左右端上方に配され、凸状の歯茎当接部であって、球面先端を持つ２つの円柱状隆起部３１ｊと、光軸Ｏ方向と平行にキャップ部の左右後方に延出する２つの延出部３１ｂと、キャップ部の上下外面の左右に突出する４つのキャップ端面当接凸部３１ｍとが設けられる。なお、キャップ部内面は反射防止のためにシボ面となっている。また、キャップ部内面の形状は、上下、左右対称形状を有しており、トップカバー１２に対して上下逆さま状でも装着可能である。
【００２８】
なお、被測定歯の撮影状態は、詳細は後述するが、コンタクトキャップ３１をカメラ２のトップカバー１２に被せた状態でバイト部３１ｅを被測定歯に隣接する両側の歯部で軽く噛み込み、上記被測定歯を開口部３１ａの略中央部に外光から遮光した状態で位置決めし、カメラ２内部に配される撮像部１９によって撮影するものとする。
【００２９】
コンタクトキャップ３１における中央開口部３１ａの大きさは、図３４に示すように左右幅寸法Ｐ1 がおよそ１６ｍｍであり、上下寸法Ｐ2 がおよそ１４ｍｍ（バイト部の上辺部３１ｆまでの寸法、但し、バイト部の凹面部３１ｉまでは１６ｍｍ）とする。この大きさは、撮影対象の被測定歯として例えば、一般の大人の門歯の大きさの上限をおよそ１０mm正方として、さらに、それに隣接する歯も部分的に含む大きさである。このように開口部を被測定歯よりも大きめに設定することによって、侵入する外光を抑えながら、また、患者口内側からの息の流入をなるべく制限するとともに黒色であるキャップ部の開口部周囲の撮影画像に対する影響を抑えながら撮影できるように設定している。但し、上記開口部の大きさは、特殊ケースに対して他の寸法のものを用意することは勿論可能である。
【００３０】
中央開口部３１ａの外表面側は、図４０に示すように上下方向の傾斜面となっており、上辺部の厚さｔ1 と下辺部の厚さｔ2 とは、ｔ1 ＞ｔ2 の関係とする。すなわち、上辺側を薄くして柔軟性（フィット性）を持たせ、下辺側を厚くして変形しにくい形状としている。したがって、開口部３１ａの下方でバイト部３１ｅを介して固定される被測定歯の光軸Ｏ方向の位置が変動しにくく、かつ、上方の歯茎部が位置的に収まりやすくなっている。
【００３１】
バイト部３１ｅは、図３４，３５に示すように開口部３１ａの下側に配され、光軸Ｏと平行に前方に突出するチャンネル形状（溝型状）、または、Ｕ字断面形状を有している。このバイト部３１ｅは、凹面部３１ｉと、左右のチャンネル上辺部であって噛み込み部として凹面部３１ｉから立ち上がった左右の上辺部３１ｆ、および、その前方延長部である左右の上辺部３１ｇとを有し、さらに、被測定歯の光軸Ｏ方向の位置決めのために上辺部３１ｆの前方であって開口表面から所定の隙間寸法ｔ3 を隔てて形成される位置決め突起部としての左右の柱状突起部３１ｈとを有している。
【００３２】
撮影時には、図４１，４３に示すように被測定歯、例えば、門歯５１に対して反対側の歯、例えば、下歯５５をバイト部３１ｅの下面に当て、同時に柱状突起部３１ｈの隙間に門歯５１の両側に隣接する歯５２を上方から挿入して上辺部３１ｆを軽く噛んで開口部３１ａに対する被測定歯である門歯５１の位置決めを行う。バイト部３１ｅの幅寸法Ｐ3 は、上記隣接する歯５２で噛み込み可能な寸法であり、上記開口部幅寸法Ｐ1 の１６ｍｍと略同一とする。上辺部３１ｆと凹面部３１ｉとの差（凹み量）は、２ｍｍ程度が採用され、上述した噛み込み状態で被測定歯、例えば、門歯５１の切縁部（先端部）５１ａは、凹面部３１ｉに対して噛み込み状態での隙間、例えば、１．５ｍｍ以上が保たれる（図４１，４２）。
【００３３】
また、柱状突起部３１ｈで形成される隙間寸法ｔ3 は、被測定歯の門歯５１に隣接する歯（厚み方向）が挿入可能な寸法であって、およそ１ｍｍが採用される。柱状突起部３１ｈは、容易に弾性変形が可能であり、カメラ２の撮影方向変更時の自由度を妨げず、また、上記隣接する歯の厚みの変化や捻転歯，小臼歯にも対応可能としている。
【００３４】
円柱状隆起部３１ｊの高さとしては、上述したように撮影時にバイト部３１ｅを歯部で噛み込んだとき、上記両側の隣接する歯５２の上方の歯茎部５３が２つの円柱状隆起部３１ｊに当接する状態となるが、そのとき、上記門歯５１の上方の歯茎部５３がコンタクトキャップ３１の開口部上方の前面部３１ｋと接触しないで、かつ、カメラ２のチルト方向の角度調整の自由度を妨げない程度の高さが採用される（図４１）。
【００３５】
上述したように円柱状隆起部３１ｊが設けられているために、上辺部３１ｆを噛み込んだ状態では、門歯５１の上方部の歯茎部５３は、開口部３１ａの上方の前面部３１ｋとは非当接状態に保持される（図４１）。同時に、門歯５１の上部の口唇部５４が円柱状隆起部３１ｊによって開口部内への侵入，接近が阻止され、口唇部５４が撮影画面に影響を与えることが防止される。
【００３６】
バイト部３１ｅの長さＬ1 は、およそ１４ｍｍに設定され、口腔内に挿入し易く、かつ、挿入状態で舌部が撮影画面に影響を与えにくくしている。
【００３７】
２つの延出部３１ｂは、伸縮可能な薄さで形成されており、それぞれトップカバー１２の係止突起１２ｃ（図２９，３１）に係止可能な係止穴３１ｄと、先端部につまみ部３１ｃが設けられている（図４０）。コンタクトキャップ３１をトップカバー１２に被せた状態でつまみ部３１ｃを引っ張って伸ばしながらトップカバー１２の係止突起１２ｃに係止穴３１ｄを係止させるとコンタクトキャップ３１がトップカバー１２に装着され、撮影可能な状態になる。なお、コンタクトキャップ３１は、衛生上、一回の使用で廃棄されるものとし、使用済みのものは、延出部が３１ｂが伸びきり状態になるか、あるいは、係止を外したときに切れてしまうなどにより再使用ができない状態とする。
【００３８】
キャップ端面当接凸部３１ｍは、複数のコンタクトキャップ３１をまとめて収納する場合に図４４に示すようにキャップ部３１ｐ同士を順次、はめ込んで収納される。そのはめ込み状態では、一方のコンタクトキャップの端面部３１ｎと他方のコンタクトキャップのキャップ端面当接凸部３１ｍとが当接することによってコンタクトキャップ同士が所定の間隔に保持され、上記収納状態でバイト部３１ｅが折れ曲がることなく保護される。
【００３９】
上述した形状を有するコンタクトキャップ３１をカメラ２に装着して生活歯である上側門歯５１を被測定歯の単歯として撮影を行う場合、まず、図２９等に示すようにトップカバー１２にコンタクトキャップ３１のキャップ部３１ｐを被せてカメラ２にコンタクトキャップ３１を装着する。
【００４０】
上記装着状態でバイト部３１ｅを患者の口腔に挿入して下歯５５をバイト部３１ｅの下面に当て付け、門歯５１に隣接する歯５２をバイト部３１ｅの柱状突起部３１ｈの隙間に挿入し、その先端切縁部で上辺部３１ｆを大きく変形しないように軽く噛み込む（図４３）。同時に上記隣接する歯５２の上方の歯茎部５３を円柱状隆起部３１ｊの先端に当接させる。上記噛み込み、歯茎当て付け状態でカメラ２による門歯５１の撮影、すなわち、マルチバンド撮影画像データ測定が実行される。
【００４１】
上記噛み込み、歯茎当て付け状態では、被測定歯である門歯５１の周囲は外光から確実に遮光された状態となり、上記門歯５１は、開口部３１ａの中央の略光軸Ｏ上の、開口部３１ａの前面部に固定され（図４２，４３）、カメラ２の撮影光学系１８，撮像部１９に対する光軸Ｏ方向および光軸Ｏ直交方向の正確な位置決めがなされる。また、門歯５１の先端の透明な切縁部５１ａがバイト部３１ｅの凹面部３１ｉに対して所定の隙間のある状態で保持されることから切縁部の像が暗くなることが防止される。もし、上記切縁部５１ａが凹面部に極めて接近したり、接触したりすると。光線が蹴られ、あるいは、その隙間に唾液が侵入して切縁部５１ａに陰が生じ、正しい撮影ができくなる。
【００４２】
さらに、門歯５１の上方の歯茎部５３は、前面部３１ｋと当接しないことから該歯茎部５３が血流不足で白く変色することが無く、門歯５１の撮影像に悪影響を与えることがない。
【００４３】
また、撮影状態で歯からの正反射光が撮影画面に入ると測定誤差を生じる原因となるが、その場合、正反射光をなくすようにカメラ２の歯に対する角度（光軸Ｏ方向の角度）を微調節する必要がある。その角度調整時に上述のように門歯５１に隣接する歯５２と下歯５５でバイト部３１ｅの上下を噛み込んでいれば、バイト部上の位置を中心にトップカバー１２を傾けることによって光軸Ｏ方向を変えて正反射のない状態を得ることができる。
【００４４】
また、撮影中、患者の頭部は、移動しないように何らかの保持を行う必要があるが、バイト部３１ｅを上下歯で噛み込むので被測定歯である門歯５１が開口部３１ａに対して光軸Ｏ方向および上下左右に相対的に移動しにくい状態（ずれにくい状態）に保持される。従って、上述の撮影中に患者の頭部を固定する力は、それ程、強い力を必要としない。
【００４５】
なお、コンタクトキャップ３１を利用して下歯５５（例えば、下側門歯）を撮影する場合は、コンタクトキャップ３１を上下逆方向にしてトップカバー１２に装着した状態で撮影を行う。この場合、上歯でバイト部３１ｅ底面側を噛み込み、被測定歯となる特定の下歯５５の両側に隣接する下歯５５で上辺部３１ｆを軽く噛み込み、上記被測定歯となる特定の下歯５５を中央開口部３１ａ中央位置に、かつ、光軸Ｏ方向に開口部前面に位置させて、上述と同様に外光から確実に遮光された状態として上記特定の下歯５５の撮影を行うことができる。この場合も上記特定の下歯５５の切縁部は、凹面部３１ｉに対して所定に隙間をもって位置し、同時に上記特定の下歯５５に隣接する両側の下歯５５の歯茎部が２つの円柱状隆起部３１ｊに当接し、上記被測定歯となる特定の下歯５５の歯茎部は前面部３１ｋと当接しない状態が保持されるので、精度のよい撮影画像データの取り込みが可能である。
【００４６】
上述したようにカメラ２に本実施形態のコンタクトキャップ３１を適用した場合、まず、該キャップが黒色の材料で形成され、さらに、内面全体をシボ面としていることから外乱光を効率よく吸収し、迷光の吸収にも効果があり、撮影画像に違和感が生じず、精度のよい測色結果（撮影画像データ）が得られる。特に中央開口部３１ａの周囲のキャップ内面や前述したトップカバー１２の前方の切り欠き部１２ｂ（図５）に対応するキャップ内面には、ＬＥＤ照明光が当たることになるがそれらの面が上述のように黒色でシボ面となっていることから正反射が回避され、また、内部散乱光が軽減される。
【００４７】
また、コンタクトキャップ３１は、伸縮可能な薄さのキャップ部材で形成されていることからカメラ側のトップカバー１２への着脱が容易である。すなわち、該キャップ３１をトップカバー１２に被せた後、両側の延出部３１ｂを伸ばして係止突起１２ｃに容易に係止して、装着状態とすることができる。
【００４８】
さらに、中央開口部３１ａの上辺部と下辺部の厚みが上辺側を薄く、下辺側を厚く設定していることから被測定歯（門歯）側のフィット性がよく、さらに、門歯まわり外光が遮光できるなどの効果を奏する。
【００４９】
また、被測定歯に対して隣接する両側の歯の先端部をコンタクトキャツプの開口部前面と位置決め用柱状突起部との狭い隙間に挟み込んで一義的に位置を決めているので撮影位置決めが容易になり、測色の精度や再現性，撮影作業のスピードも向上する。また、上記被測定歯に隣接する歯で位置決めするため、位置決めの構成要素が被測定歯の測色精度に与える影響か少ない。位置決め用の柱状突起部は噛むことで容易に曲げられることから、捻転歯や小臼歯での位置決めも可能である。
【００５０】
また、バイト部３１ｅの噛み込み部分はチャンネル状、または、Ｕ字型になっていることから、例えば、上歯を測定する場合、上歯の隣接歯と下歯と上記バイト部を噛み込むことで手ぶれのない状態で撮影を安定して行うことが可能になる。同時に被測定歯の切縁先端がバイト部の凹面部に対してギャップのある状態で保持されるので該切縁先端まわりで光線が蹴られることがなく、また、該切縁先端に唾液が侵入することもないので、切縁先端部が暗くなる現象を改善できる。
【００５１】
さらに、コンタクトキヤップ３１の開ロ部３１ａの左右のバイト部３１ｅと反対側の上方部に２つの円柱状隆起部３１ｊを設け、この隆起部に上記隣接する歯側の歯茎部を当接させるようにしたので、撮影時（測色時）に被測定歯の上方の歯茎部が開口部上方前面部３１ｋに接触しない。従って、上記上方の歯茎部の血流が阻止されて白色になることが防止でき、被測定歯の撮影画像データ（側色データ）の変化が抑えられる。さらに、上記隆起部で口唇部が持ち上げられ、コンタクトキヤップの開口部３１ａにおける上記口唇部の映り込みを防止できる。
【００５２】
コンタクトキャップ３１を装着した状態のカメラ２は、該キャップ３１のバイト部等が外方に突出しているので図１，２に示すようにはクレードル１に取り付けることができず、該キャップをカメラ２に装着したままの誤った操作は、未然に防止される。
【００５３】
また、コンタクトキャップ３１をカメラ２のトップカバー１２に装着した状態では、少なくとも該キャップ３１で覆われた範囲は、カメラ２は、よごれや外力等から保護される。
【００５４】
次に本実施形態のコンタクトキャップ３１のバイト部の形状に対する変形例について、図４５，４６を用いて説明する。  
図４５は、上記変形例のコンタクトキャップの開口部とバイト部の正面図である。図４６は、図４５のＧ−Ｇ断面図である。
【００５５】
本変形例のコンタクトキャップ３１′には第一実施形態におけるバイト部３１ｅよりも幅の広いバイト部３１ｅ′が設けられている。
【００５６】
バイト部３１ｅは、同様に前方に突出するチャンネル形状（溝型状）、または、Ｕ字断面形状を有し、図４５に示すようにバイト部の幅Ｐ3 ′を開口部３１ａの幅Ｐ1 よりも左右の上辺部３１ｆの寸法分だけ広くする。
【００５７】
本変形例のコンタクトキャップ３１′では、バイト部３１ｅ′を広幅にすることによって、被測定歯に隣接する歯で噛み込まれる部分である上辺部３１ｆを開口部３１ａの幅より外側に設け、該噛み込まれる部分を完全に撮影範囲外に位置させて、精度のよい測色データを得るようにしている。
【００５８】
次に本発明の第二の実施形態であるコンタクトキャップについて図４７〜５２を用いて説明する。  
図４７〜５２は、本実施形態のコンタクトキャップの外観形状を示す図であって、図４７は、正面図であり、図４８，４９は、左，右側面図であり、図５０，５１は、平面図と下面図であり、図５２は、背面図である。
【００５９】
本実施形態のコンタクトキャップ３１Ａは、第一の実施形態のコンタクトキャップ３１に対して凸状の歯茎当接部としての円柱状隆起部３１ｊに代えて緩やかな凸曲面をもつ隆起部３１Ａｊが設けられていることを特徴とする。その他の形状は、キャップ端面当接凸部３１ｍを除いて第一の実施形態のものと同様であり、同一の符号を付し、以下、異なる部分について説明する。なお、キャップ端面当接凸部３１ｍは、本実施形態のコンタクトキャップ３１Ａには設けられていない。
【００６０】
本実施形態のコンタクトキャップ３１Ａにおいては、図４７，４８，５０に示すように凸状の歯茎当接部として凸曲面をもつ隆起部３１Ａｊが開口部３１ａの左右上部の位置に対向する状態で２つ配されている。
【００６１】
隆起部３１Ａｊは、図４７，４８に示すように上下方向に所定幅をもつ突起であって、水平方向の断面上の形状は、図５０に示すように先端部は緩やかな凸曲面で形成され、その２つの隆起部が互いに左右方向の内側に向けて緩やかに変化する面を有している。
【００６２】
上述したコンタクトキャップ３１Ａを使用した場合、撮影時に門歯５１を開口部３１ａ中央に位置させるために上記隣接する歯５２でバイト部３１ｅの上辺部３１ｆを噛み込んだとき、被測定歯の門歯５１に隣接する歯５２の上部の歯茎部５３（図４１，４３）がこの隆起部３１Ａｊに当接し、門歯５１の位置決めがなされる。そのとき、門歯５１の歯茎部は、開口部３１ａの上方の前面部３１ｋと接触しない。したがって、第一の実施形態の場合と同様に門歯５１の上方の歯茎部の血流が変化せず、その色が変化することなく門歯の撮影画面に不具合が生じない。また、隆起部３１Ａｊの上述した緩やかな凸曲面部分が隣接する歯５２の上部の歯茎部５３に当接するので、患者は、痛さを感じることなく、また、門歯５１は、移動しにくい状態で保持され、撮影を終えることができる。
【００６３】
さらに、門歯５１の上部の口唇部５４が隆起部３１Ａｊによって開口部内への侵入，接近が阻止され、口唇部５４が撮影画面に影響を与えることが防止される。  
なお、本実施形態のコンタクトキャップ３１Ａを適用したときのその他の効果は、第一の実施形態の場合と同様の同様である。
【００６４】
次に本発明の第三の実施形態であるコンタクトキャップについて図５３〜５８を用いて説明する。  
図５３〜５８は、本実施形態のコンタクトキャップの外観形状を示す図であって、図５３は、正面図であり、図５４，５５は、左，右側面図であり、図５６，５７は、平面図と下面図であり、図５８は、背面図である。
【００６５】
本実施形態のコンタクトキャップ３１Ｂも前記第二実施形態の場合と同様に第一の実施形態のコンタクトキャップ３１に対して凸状の歯茎当接部としての円柱状隆起部３１ｊに代えて緩やかな凸曲面をもつ隆起部３１Ｂｊが設けられていることを特徴とする。その他の形状は、キャップ端面当接凸部３１ｍを除いて第一の実施形態のものと同様であり、同一の符号を付し、以下、異なる部分について説明する。なお、キャップ端面当接凸部３１ｍは、本実施形態のコンタクトキャップ３１Ｂには設けられていない。
【００６６】
本実施形態のコンタクトキャップ３１Ｂにおいては、図５３，５４，５６に示すように凸状の歯茎当接部として凸曲面をもつ隆起部３１Ｂｊが開口部３１ａの左右上部の位置に対向する状態で２つ配されている。
【００６７】
隆起部３１Ｂｊは、図５３，５４に示すように上下方向により広い範囲の幅をもつ突起であって、水平方向の断面上の形状は、図５６に示すように先端部は緩やかな凸曲面で形成され、その２つの隆起部が互いに左右方向の内側に向けて緩やかに変化する面を有している。上下方向に関しては、図５４に示すように下方に向けて後方に傾斜する面を有している。
【００６８】
上述したコンタクトキャップ３１Ｂを使用した場合、撮影時に門歯５１を開口部３１ａ中央に位置させるために上記隣接する歯５２でバイト部３１ｅの上辺部３１ｆを噛み込んだとき、被測定歯の門歯５１に隣接する歯５２の上部の歯茎部５３（図４１，４３）がこの隆起部３１Ｂｊに当接し、門歯５１の位置決めがなされる。そのとき、門歯５１の歯茎部は、開口部３１ａの上方の前面部３１ｋと接触しない。したがって、第一の実施形態の場合と同様に門歯５１の上方の歯茎部の血流が変化せず、その色が変化することなく門歯の撮影画面に不具合が生じない。そして、隆起部３１Ｂｊの上述したように水平方向と上下方向にも緩やかに変化する凸曲面部分が隣接する歯５２の上部の歯茎部５３に当接するので患者は、より痛さを感じることなく、また、門歯５１は、さらに、移動しにくい状態で保持され、撮影を終えることができる。
【００６９】
さらに、門歯５１の上部の口唇部５４が隆起部３１Ｂｊによって開口部内への侵入，接近が阻止され、口唇部５４が撮影画面に影響を与えることが防止される。  
なお、本実施形態のコンタクトキャップ３１Ｂを適用したときのその他の効果は、第一の実施形態の場合と同様の同様である。
【００７０】
なお、上述した各実施形態のコンタクトキャップを用いた撮影（測定）状態は、生活歯である上下の門歯（前歯）を被写体とした場合について説明したが、門歯以外の犬歯，小臼歯、あるいは、捻転歯等の撮影に対しても同様に適用することができる。さらに、生活歯に限らず、現在すでに患者に入れられている義歯の撮影にも適用することは勿論可能である。
【産業上の利用可能性】
【００７１】
本発明による歯科用歯測定用コンタクトキャップは、歯科用歯測定装置に適用され、被写体となる被測定歯を安定した撮影位置に位置させ、かつ、外光の影響を受けることなく、しかも、実際の色に近い状態での撮影が可能である歯科用歯測定用コンタクトキャップとして利用可能である。
【図面の簡単な説明】
【００７２】
【図１】本発明の各実施形態の歯科用歯測定用コンタクトキャップを適用可能なカメラとクレードルからなる歯科用歯測定（撮影）装置であるＨＭＳＣ装置の外観を示す斜視図であって、遮光カバー開状態を示す。
【図２】図１のＨＭＳＣ装置の外観を示す斜視図であって、遮光カバー閉状態を示す。
【図３】図１のＨＭＳＣ装置のクレードルの外観を示す斜視図であって、遮光カバー開状態を示す。
【図４】図３のクレードルの外観を示す斜視図であって、遮光カバー閉状態を示す。
【図５】図１のＨＭＳＣ装置のカメラの外観を示す正面側から見た斜視図である。
【図６】図５のカメラを背面側から見た斜視図である。
【図７】図５のカメラを背面側上方から見た斜視図である。
【図８】図５のカメラの正面図である。
【図９】図５のカメラの左側面図である。
【図１０】図５のカメラの右側面図である。
【図１１】図５のカメラの平面図である。
【図１２】図５のカメラの下面図である。
【図１３】図５のカメラの背面図である。
【図１４】図９のＡ矢視図である。
【図１５】図３のクレードルの正面図である。
【図１６】図３のクレードルの左側面図である。
【図１７】図３のクレードルの右側面図である。
【図１８】図３のクレードルの平面図である。
【図１９】図３のクレードルの下面図である。
【図２０】図３のクレードルの背面図である。
【図２１】図１６のＢ矢視図である。
【図２２】図５のカメラを図３のクレードルに装着した状態の正面図である。
【図２３】図５のカメラを図３のクレードルに装着した状態の左側面図である。
【図２４】図５のカメラを図３のクレードルに装着した状態の右側面図である。
【図２５】図５のカメラを図３のクレードルに装着した状態の平面図である。
【図２６】図５のカメラを図３のクレードルに装着した状態の下面図である。
【図２７】図５のカメラを図３のクレードルに装着した状態の背面図である。
【図２８】図２３のＣ矢視図である。
【図２９】本発明の後述する第二の実施形態の撮影用コンタクトキャップを図５のカメラに装着した状態を示す正面図である。
【図３０】図２９のコンタクトキャップをカメラに装着した状態の左側面図である。
【図３１】図２９のコンタクトキャップをカメラに装着した状態の右側面図である。
【図３２】図２９のコンタクトキャップをカメラに装着した状態の平面図である。
【図３３】図２９のコンタクトキャップをカメラに装着した状態の下面図である。
【図３４】本発明の第一の実施形態のコンタクトキャップの正面図である。
【図３５】図３４のコンタクトキャップの左側面図である。
【図３６】図３４のコンタクトキャップの右側面図である。
【図３７】図３４のコンタクトキャップの平面図である。
【図３８】図３４のコンタクトキャップの下面図である。
【図３９】図３４のコンタクトキャップの背面図である。
【図４０】図３４のＤ−Ｄ断面図である。
【図４１】図３４のコンタクトキャップを図５のカメラに装着して単歯撮影を行う状態を図４０の断面上で示した図である。
【図４２】図４１のＥ矢視図である。
【図４３】図４１のＦ−Ｆ断面図である。
【図４４】図３４のコンタクトキャップを重ねて嵌め込んで収納した状態を示す断面図である。
【図４５】図３４のコンタクトキャップの開口部に対する変形例の開口部とバイト部の正面図である。
【図４６】図４５のＧ−Ｇ断面図である。
【図４７】本発明の第二の実施形態のコンタクトキャップの正面図である。
【図４８】図４７のコンタクトキャップの左側面図である。
【図４９】図４７のコンタクトキャップの右側面図である。
【図５０】図４７のコンタクトキャップの平面図である。
【図５１】図４７のコンタクトキャップの下面図である。
【図５２】図４７のコンタクトキャップの背面図である。
【図５３】本発明の第三の実施形態のコンタクトキャップの正面図である。
【図５４】図５３のコンタクトキャップの左側面図である。
【図５５】図５３のコンタクトキャップの右側面図である。
【図５６】図５３のコンタクトキャップの平面図である。
【図５７】図５３のコンタクトキャップの下面図である。
【図５８】図５３のコンタクトキャップの背面図である。
【符号の説明】
【００７３】
３１，３１′，３１Ａ，３１Ｂ
…コンタクトキャップ
３１ａ…中央開口部（開口部）
３１ｅ…バイト部（突起部）
３１ｆ…上辺部（噛み込み部）
３１ｈ…柱状突起部（位置決め突起部）
３１ｊ…円柱状隆起部（凸状の歯茎当接部）
３１Ａｊ，３１Ｂｊ
…凸状曲面隆起部（凸状の歯茎当接部）
３１ｐ…キャップ部
５１  …門歯（被測定歯）
５２  …隣接する歯
５３  …歯茎部
【図１】
2006334241.tif 000003
【図２】
2006334241.tif 000004
【図３】
2006334241.tif 000005
【図４】
2006334241.tif 000006
【図５】
2006334241.tif 000007
【図６】
2006334241.tif 000008
【図７】
2006334241.tif 000009
【図８】
2006334241.tif 000010
【図９】
2006334241.tif 000011
【図１０】
2006334241.tif 000012
【図１１】
2006334241.tif 000013
【図１２】
2006334241.tif 000014
【図１３】
2006334241.tif 000015
【図１４】
2006334241.tif 000016
【図１５】
2006334241.tif 000017
【図１６】
2006334241.tif 000018
【図１７】
2006334241.tif 000019
【図１８】
2006334241.tif 000020
【図１９】
2006334241.tif 000021
【図２０】
2006334241.tif 000022
【図２１】
2006334241.tif 000023
【図２２】
2006334241.tif 000024
【図２３】
2006334241.tif 000025
【図２４】
2006334241.tif 000026
【図２５】
2006334241.tif 000027
【図２６】
2006334241.tif 000028
【図２７】
2006334241.tif 000029
【図２８】
2006334241.tif 000030
【図２９】
2006334241.tif 000031
【図３０】
2006334241.tif 000032
【図３１】
2006334241.tif 000033
【図３２】
2006334241.tif 000034
【図３３】
2006334241.tif 000035
【図３４】
2006334241.tif 000036
【図３５】
2006334241.tif 000037
【図３６】
2006334241.tif 000038
【図３７】
2006334241.tif 000039
【図３８】
2006334241.tif 000040
【図３９】
2006334241.tif 000041
【図４０】
2006334241.tif 000042
【図４１】
2006334241.tif 000043
【図４２】
2006334241.tif 000044
【図４３】
2006334241.tif 000045
【図４４】
2006334241.tif 000046
【図４５】
2006334241.tif 000047
【図４６】
2006334241.tif 000048
【図４７】
2006334241.tif 000049
【図４８】
2006334241.tif 000050
【図４９】
2006334241.tif 000051
【図５０】
2006334241.tif 000052
【図５１】
2006334241.tif 000053
【図５２】
2006334241.tif 000054
【図５３】
2006334241.tif 000055
【図５４】
2006334241.tif 000056
【図５５】
2006334241.tif 000057
【図５６】
2006334241.tif 000058
【図５７】
2006334241.tif 000059
【図５８】
2006334241.tif 000060